(57)【要約】      （修正有）【課題】りんを構成する部品を容易に一体化することができ、かつ布団の上にりん本体を載せた状態で、手で持つことができるりんを提供することである。【解決手段】台座１に支持された支柱４と、前記支柱の中間に固着された鍔５に支持され、かつ前記支柱によって挿入された布団７と、前記布団の上に支持され、かつ前記支柱に固着されたりん本体８とからなり、前記台座に軸受２が設けられ、前記軸受に横方向に延びる軸３が設けられ、前記軸が前記支柱の下端に設けられた孔を挿通し、前記孔が前記軸の断面積より大きく、前記軸受の底部と側部に前記支柱の下端が嵌入する凹所が設けられてなることを特徴としている。【選択図】図１
0003114896.tif 000002
【実用新案登録請求の範囲】
【請求項１】
台座に支持された支柱と、
前記支柱の中間に固着された鍔に支持され、かつ前記支柱によって挿入された布団と、
前記布団の上に支持され、かつ前記支柱に固着されたりん本体と
からなり、
前記台座に軸受が設けられ、
前記軸受に横方向に延びる軸が設けられ、
前記軸が前記支柱の下端に設けられた孔を挿通し、
前記孔が前記軸の断面積より大きく、
前記軸受の底部と側部に前記支柱の下端が嵌入する凹所が設けられてなる
ことを特徴とするりん構造体。
【請求項２】
前記鍔と布団との間に１または複数の円盤が介装され、かつ前記支柱が該円盤を挿通してなる請求項１記載のりん構造体。
【考案の詳細な説明】
【技術分野】
【０００１】
本考案はりん構造体に関する。さらに詳しくは、支柱が台座に対して起立した状態と、傾倒した状態とを切り換えることができるりん構造体に関する。
【背景技術】
【０００２】
仏前における供養にはりんは不可欠な仏具であり、一般家庭においても広く用いられている。一般的にりんは、りん台上に置かれた布団のような敷具の上に置かれている。そして、りん棒でりんをたたくことによって、鳴響させるものである。
【０００３】
従来、りんを構成する部品がばらばらで、仏壇などの清掃時や仏具を取り扱っている店における取扱いの際、両手で持ち切れないようなこととなり、往々にしてりんが落下して、損傷する可能性が高く、りん棒が仏壇内などで転がり易いなどの不利があるものの、りん自体の転がりやすい構造上の特徴から、りんを構成する部品を一体化することは容易ではない。
【０００４】
特許文献１には、りんと、該りんを載置する受台および布団様部体を有し、前記布団様部体と受台とを連結した連結軸の頂端をりん底部に設けた部分的連結部において連結支持させたことを特徴とするものが開示されている。
【０００５】
また、墓所に構築されるりんは、墓所に相応しい荘厳な雰囲気を与えるものが望まれる。そのため、台部材を石材にすると、石材は、水抜き孔の穿設加工が困難であるばかりでなく、孔の内壁は石肌が粗いために軸を堅固に固定維持することは困難である等の課題がありかかる課題を解決することを目的としたものが特許文献２に開示されている。
【０００６】
すなわち、特許文献２には、椀状のりん本体の底部中心部に設けられた貫通孔に連通する直長の管軸をりん本体の下面に一体に突設設置し、前記管軸はりん本体の底面に所定の空間を備えさせるための環状鍔部を一体に設けられたりんが開示されている。
【０００７】
【特許文献１】実用新案登録第３０１３２９２号公報
【特許文献２】特開２００１−５７９３７号公報
【考案の開示】
【考案が解決しようとする課題】
【０００８】
本考案は、りんを構成する部品を容易に一体化することができ、かつ布団の上にりん本体を載せた状態で、手で持つことができるりんを提供することである。
【課題を解決するための手段】
【０００９】
本考案のりん構造体は、台座に支持された支柱と、
前記支柱の中間に固着された鍔に支持され、かつ前記支柱によって挿入された布団と、
前記布団の上に支持され、かつ前記支柱に固着されたりん本体と
からなり、
前記台座に軸受が設けられ、
前記軸受に横方向に延びる軸が設けられ、
前記軸が前記支柱の下端に設けられた孔を挿通し、
前記孔が前記軸の断面積より大きく、
前記軸受の底部と側部に前記支柱の下端が嵌入する凹所が設けられてなる
ことを特徴としている。
【００１０】
また、前記鍔と布団との間に１または複数の円盤が介装され、かつ前記支柱が該円盤を挿通してなる構成にすると、りんの音色を良好にすることができるという利点がある。
【考案の効果】
【００１１】
本考案のりん構造体によれば、支柱が台座に対して起立した状態と、傾倒した状態とを切り換えることができ、りんを構成する部品を容易に一体化することができ、かつ布団の上にりん本体を載せた状態で、手で持つことができるりんを提供することができる。
【考案を実施するための最良の形態】
【００１２】
本考案のりん構造体（以下、「りん」という）を添付図面を参照しながら以下に詳細に説明する。
【００１３】
図１は本考案のりんの一例を示す分解斜視図、図２は図１のりんの軸受の側部に支柱の下端が嵌入されている状態を示す説明図、図３は図１のりんの軸受の側部に支柱の下端が嵌入されている状態から離脱し、支柱を起立する状態へ移行する状態を示す説明図、図４はりんの支柱を起立させ、りんの軸受の底部に嵌入される直前の状態を示す説明図、図５はりんの支柱をりんの軸受の底部に嵌入された状態を示す説明図、図６は図４の状態を側部側からみた説明図、図７は軸受の凹所の深さと軸と支柱の孔との関係を示す説明図、図８は支柱の孔を示す説明図である。
【００１４】
図１〜８を参照すると、本考案のりん１０は、台座１に支持された支柱４と、支柱４の中間に固着された鍔５と、鍔５に支持され、かつ支柱４によって挿入された布団７と、布団７の上に支持され、かつ支柱４に固着されたりん本体８とから構成されている。りん本体８は金属製であり、材質はとくに限定されないが、銀メッキを施すと、りんとしての威厳を備えることができる。
【００１５】
そして、台座１には軸受２が設けられており、軸受２には、横方向に延びる軸３が設けられている。軸３は支柱４の下端に設けられた孔Ｈ（図８参照）を挿通している。
【００１６】
図２〜７に示されるように、支柱４の孔Ｈは軸３の断面積より大きい。また、軸受２の底部と側部には、前記支柱４の下端が嵌入する凹所Ｒｂ、Ｒｓがそれぞれ設けられている。
【００１７】
図１に示されるように、支柱４の上端には雄ネジ４ａが形成されており、支柱４に差し込まれ自由に移動し得るように設けられた金属製の円盤６を介して、支柱４に差し込まれた布団が載せられる。そして、布団７の上に、その底部中央に設けられた孔８ａを通して支柱４に差し込まれたりん本体８が載せられ、孔８ａから突出した支柱４の雄ネジ４ａとナット９とを螺合することによってりん本体８は支柱４に固着される。
【００１８】
また、本考案の場合、リング状の台座１の半径方向に延びるアーム１ａが台座１に溶接やロウ付によってなどの固着手段によって固着されており、軸受２はアーム１ａに溶接やロウ付によって固着されている。台座１の形状はリング状に限られることはなく、たとえば、三角形、四角形などの多角形状であってもよい。
【００１９】
さらに、本考案の場合、支柱４に差し込まれ自由に移動し得るように設けられた２枚の金属製の円盤６が図１に示されているが、円盤６の数は２枚に限られることはなく、１枚でもよく、また３〜５枚であってもよい。このように、金属製の円盤６を設けることによって、りんの音色を良好にすることができるという利点がある。
【００２０】
本考案のりん構造体は、叙上のとおりに構成されているので、つぎのとおりの動作を行うことができる。
【００２１】
すなわち、図７および８に示されるように、軸受２に設けられた軸３の軸線３ｃと軸受２の側壁面までの距離をＧ（同様に底壁面での距離もＧ）、側部の凹所Ｒｓおよび底部の凹所Ｒｂの深さをＤ、軸の直径を２ｒ、支柱４の孔Ｈの縦方向の長さをＬｕ、支柱４の下端が軸受２の側部の凹所Ｒｓ（図２参照）に嵌入されているときの支柱の遊びの長さをＬ１としたとき、Ｇ＋ｒ＜Ｌｕ≦Ｇ＋ｒ＋ＤかつＬ１≧Ｄの関係を満たしている。
【００２２】
したがって、図２に示された状態の支柱４を矢印Ｘ方向に引くと、図３に示される状態になる。
【００２３】
ここで、支柱４を矢印ＡＣ方向に旋回させると、図４に示されるように支柱４が上下方向に延びるように起立した状態になる。
【００２４】
ついで、矢印Ｙ方向に支柱４を押すと、支柱４の下端が軸受２の底部凹所Ｒｂに嵌入される。
【００２５】
すなわち、本考案のりん１０は、支柱４を横方向と上下方向とに切り換えることができ、かつ横方向と上下方向とにロックすることができるのである。
【図面の簡単な説明】
【００２６】
【図１】本考案のりんの一例を示す分解斜視図である。
【図２】図１のりんの軸受の側部に支柱の下端が嵌入されている状態を示す説明図である。
【図３】図１のりんの軸受の側部に支柱の下端が嵌入されている状態から離脱し、支柱を起立する状態へ移行する状態を示す説明図である。
【図４】りんの支柱を起立させ、りんの軸受の底部に嵌入される直前の状態を示す説明図である。
【図５】りんの支柱をりんの軸受の底部に嵌入された状態を示す説明図である。
【図６】図４の状態を側部側からみた説明図である。
【図７】軸受の凹所の深さと軸と支柱の孔との関係を示す説明図である。
【図８】支柱の孔を示す説明図である。
【符号の説明】
【００２７】
１  台座
２  軸受
３  軸
４  支柱
５  鍔
６  円盤
７  布団
８  りん本体
１０  りん構造体
【図１】
0003114896.tif 000003
【図２】
0003114896.tif 000004
【図３】
0003114896.tif 000005
【図４】
0003114896.tif 000006
【図５】
0003114896.tif 000007
【図６】
0003114896.tif 000008
【図７】
0003114896.tif 000009
【図８】
0003114896.tif 000010